(57)【要約】    【課題】  バックル部の外観が目立たず、一体成形可能な合成樹脂製スライドアジャスタを提供する。    【手段】  バンド外表面に形成した鋸歯状の係合溝にバックルの係合爪を係合させ該係止状態においてバンドはバックルに接近自在であるが後退不能としたバンドとバックルのスライドアジャスタにおいて、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を押圧部とする操作板とから構成すると共に、該操作板を前記係合爪と前記押圧部の中間点にて前記両側板を結ぶ連結軸で支承することにより該中間点を支点として揺動自在とし、前記バンドの外表面と前記押圧部に、前記バックルとバンドとを片手の指先で引き寄せることのできる一対の掛止突起を設けてなる。【選択図】  図１
2008086639.tif 000002
【特許請求の範囲】
【請求項１】
バンド外表面に形成した鋸歯状の係合溝にバックルの係合爪を係合させ該係止状態においてバンドはバックルに接近自在であるが後退不能としたバンドとバックルのスライドアジャスタにおいて、
前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板を前記係合爪と前記押圧部の中間点にて前記両側板を結ぶ連結軸で支承することにより該中間点を支点として揺動自在とし、
前記バンドの外表面と前記押圧部に、前記バックルとバンドとを片手の指先で引き寄せることのできる一対の掛止突起を設けてなるバンドとバックルのスライドアジャスタ。
【請求項２】
前記連結軸から掛止突起に至る操作板に対して、該掛止突起以外の部分に垂直方向の押圧力が直接作用するのを規制する部材がバックル本体に設けられた請求項１記載のスライドアジャスタ。
【請求項３】
前記規制部材が前記天井枠から前記操作板方向へ水平に張出した張出部である請求項２記載のスライドアジャスタ。
【請求項４】
前記操作板の一端部近傍と、前記天井枠の少なくとも一辺、または対向する前記両側板とを連結した請求項１〜請求項３記載のスライドアジャスタ。
【発明の詳細な説明】
【技術分野】
【０００１】
この発明は、バンドをバックルに対してスライドさせ、バンドの長さを調節して固定するためのスライドアジャスタに関するものである。
【背景技術】
【０００２】
従来、バンド（またはベルト）に係合溝を設け、この溝にバックルのフックを弾性的に係合し、随時、この係止状態を解放可能とするバックルとバンドとからなるスライドアジャスタが知られている。
【０００３】
本発明者らは、特開２０００−１３５１０３号公報（特許文献１）において、製作が容易で、軽量な合成樹脂製バックルとして、対向する底板と天井枠および両者を接続する両側板とからなり、内部が係合溝を有するバンドの挿通空間とされたバックル本体と、前記天井枠の内側に水平設置され、一端部下面に前記バンドの係合溝に係合可能な係合爪を有し、他端部上面を押圧部とする操作板とから構成され、該操作板を前記係合爪と前記押圧部の中間点にて、対向する天井枠の二辺に各々連結することにより、該中間点を支点として揺動自在とした合成樹脂製バックルであって、前記バンドの外表面と前記天井枠に、前記バックル本体に該バンドを片手の指先で引き寄せることのできる一対の掛止突起を設けた合成樹脂製バックルを提案している。
【０００４】
前記合成樹脂製バックルは機能的に非常に優れ、ヘルメットのヘッドバンド用バックルとしては最適であるが、帽子、ズボンまたはスカート等の外観デザインが極めて重要視される服飾品に用いるバンドとバックルのスライドアジャスタとしては、更に軽量でシンプルな構成であって、バックル部の目立たない外観を有するものの開発が嘱望されている。特に、合成樹脂製の簡易な構造で、一体成形可能なスライドアジャスタが求められている。
なお、特許文献１記載の合成樹脂製バックルは片手指先操作用の掛止突起を、バックル本体を構成する天井枠に設けるために、バックル本体を帽子、ズボン等の外観から隠すことは容易ではなかった。
【０００５】
一方、本発明者らは、特開２００１−２０４５１８号公報（特許文献２）において、バンドの一端部を他端部に設けた筒状のバックル内に挿通して周囲長を調節しつつ環状に接続されるバックル付きバンドであって、前記一端部の縁部に沿って鋸歯状の係合凹部を形成すると共に、前記バックルの挿通空間内に係合凸部を設け、該係合凸部と前記係合凹部が係止した状態では、前記バンドの一端部は前記挿通空間を進出自在であるが後退不能とし、さらに、該挿通空間の少なくとも前記係合凸部に近接する位置に、バンドの進出方向と直交する平面内におけるバンドの揺動を規制するガイドを設けてなり、前記挿通空間に前記バンドの進出方向と略平行に前記係合凸部を有する操作片を配装し、該操作片を操作することにより前記係合凹部と係合凸部との係合を解除可能としたバックル付きバンドを提案している。
【０００６】
このバックル付きバンドは、バックル厚を薄くすることができるので、腕時計等のスライドアジャスタとしては好適であるが、バックル部分が完全に露出する構造であることから、前記要請に沿うものではない。
【０００７】
【特許文献１】特開２０００−１３５１０３号公報
【特許文献２】特開２００１−２０４５１８号公報
【発明の開示】
【発明が解決しようとする課題】
【０００８】
前記係合解除ボタンを有するバックルを、帽子、ズボンまたはスカート等の内側に隠して外観の露出を抑えようとすると、バックル本体の上方から底面側に向けた押圧力によりベルトとの係合を解除する機構を採用していることから、係合解除ボタン以外の操作板に指先等が誤って接触してバックルとベルトが係合解除される虞がある。
【０００９】
一方、当該部分をフード等で覆うことにより不測の係合解除を回避することは可能となるが、それでは金型による一体成型を行うことはできない。
本発明者らは、前記片手の指先操作によるスライド調節機能を保持しつつバックルを表に露出させない為には、掛止突起と係合解除ボタンを端部に集中させることが重要であるとの知見に基づき本発明を完成したものである。
【課題を解決するための手段】
【００１０】
本発明は、バンド外表面に形成した鋸歯状の係合溝にバックルの係合爪を係合させ該係止状態においてバンドはバックルに接近自在であるが後退不能としたバンドとバックルのスライドアジャスタにおいて、前記バックルを、対向する底板と天井枠および両者を接続する両側板とからなり内部をバンドの挿通空間としたバックル本体と、前記天井枠の内側に水平設置され、一端部下面に前記バンドの係合溝に係合可能な係合爪を有し、他端部を前記係合を解除するための押圧部とする操作板とから構成すると共に、該操作板を前記係合爪と前記押圧部の中間点にて前記両側板を結ぶ連結軸で支承することにより該中間点を支点として揺動自在とし、前記バンドの外表面と前記押圧部に、前記バックルとバンドとを片手の指先で引き寄せることのできる一対の掛止突起を設けてなることを特徴とするものである。
【００１１】
前記スライドアジャスタは、前記連結軸から掛止突起に至る操作板に対して、該掛止突起以外の部分に垂直方向の押圧力が直接作用するのを規制する部材がバックル本体に設けられたものであることが好ましい。
前記規制部材は、前記天井枠から前記操作板方向へ水平に張出した張出部であることが好ましい。
前記操作板の一端部近傍と、前記天井枠の少なくとも一辺、または対向する前記両側板とを連結することが好ましい。
【発明の効果】
【００１２】
請求項１記載のスライドアジャスタでは、特に、片手指先操作用の掛止突起を、操作板の押圧部とした側の端部に解除ボタンとして設けたので、バンドのスライド調整を片手の指先だけで行うことができ、迅速、容易に係合動作を行うことができることは勿論、前記した従来のバンドとバックルのスライドアジャスタに比べて構成される部品点数が少なく、軽量であり、製造コストも廉価である。
【００１３】
請求項１記載のスライドアジャスタは、帽子、ズボンまたはスカート等の内側に隠して外観の露出を抑えることができる。これを図３を参照して説明すれば、従来のバックル付バンドは服飾品４０、４０の間に介在して外観的に目立っていた（図３（２））。本発明のスライドアジャスタは、掛止突起１５Ｂを除くバックル２０を帽子等の服飾品４０の内側に収めることができるので、帽子の外観として現れるのは、バンド１０と２つの掛止突起１５Ａ、１５Ｂのみであり、バンド１０だけのものと殆ど変わらない（図３（１））。更に、バンド１０のスライド部が左右対称になり、すっきりとしたデザインとなると共に、この部分の意匠上の自由度が増すことになる。
【００１４】
請求項２記載のスライドアジャスタには規制部材が設けられているので、不用意なまたは突発的なロック解除の虞がない。
請求項３記載のスライドアジャスタは一体成型可能な構造をとっていることから、製作が容易であり、また製作コストも低廉である。
【００１５】
請求項４記載のスライドアジャスタは、揺動させた操作板の復元力が高く、確実な係合・解除動作を保証し、信頼性を向上させることができる。
【発明を実施するための最良の形態】
【００１６】
以下、本発明に係る合成樹脂製スライドアジャスタの最良の実施形態を、図面に基づいて説明する。
図１にはバンド１０とバックル２０からなる本発明のスライドアジャスタが示されており、図１（１）はその平面図、図１（２）は図１（１）のｚ−ｚ切断線における縦断側面図である。
【００１７】
これらの図において、所要の長さ、幅、厚みを有するバンド１０の外表面には、先端（バックル２０に近い部分）から末端にかけて鋸歯状の係合溝１２が形成され、係合溝１２の末端寄りには、指先が掛かる程度の大きさ・高さの掛止突起１５Ａが設けられている。また、バンド１０において掛止突起１５Ａの更に末端寄りには、バンド１０を図示してない帽子等に固定するための多数の取付穴１６が穿設されている。
【００１８】
バックル２０は、底板２１、これに対向する天井枠２２、および底板２１と天井枠２２とを接続する側板２３、２３とからなる偏平かつ筒状のバックル本体２４により主体が構成されている。バックル本体２４はバンド１０のスライド方向が挿通口として開口され、その内部はバンド１０の挿通空間２６となる。本実施形態では、底板２１の長手方向（バンド１０のスライド方向）の長さを天井枠２２の長手方向の長さよりも長くすることにより、底板２１に形成した取付穴２７により帽子等への取付を容易にすると共に、バンド１０の挿通がスムーズに行われるようにしている。
【００１９】
天井枠２２の内側には、その内に納まる大きさの操作板３０が水平に設置される。操作板３０の一端部下面には、バンド１０の係合溝１２に係合可能な係合爪３１を突設し、他端部の上面は係合解除用の押圧部３２となる。
【００２０】
操作板３０の長手方向の中間地点には、連結軸３５が形成され、この連結軸３５は両側板２３、２３の上部内壁に連結されている。連結軸３５の断面形状は、円形、楕円形、その他種々の形状とすることができる。連結軸３５は操作板３０を揺動自在に軸支すると共に、反復的な揺動により破損しない形状であれば差し支えない。なお、連結軸３５は両側板２３、２３に限らず、操作板３０と対向する天井枠２２の二辺に支承されていても、後述する作用と同じ作用を発揮することができる。
【００２１】
操作板３０の他端部（押圧部３２）には掛止突起１５Ｂが上方へ突設されている。掛止突起１５Ｂも前記バンド１０の外表面に設けた掛止突起１５Ａと同様に、双方に指先を掛けることによりバンド１０をバックル２０に片手で引き寄せることができるようにするものであるから、指先に掛けられる程度の大きさと形状を有していればよい。また、衣服用途に適用する場合には、小形の掛止突起とするのが良い。
【００２２】
本発明の操作板３０において、押圧部３２と連結軸３５間の横幅Ｗは、操作板３０の揺動と強度を満たす限りにおいてなるべく狭く設定されると共に、バックル本体２４においては、対向する天井枠２２、２２から、規制部材としての張出部２８、２８が内側に向かって水平方向に伸出している。
この規制部材は、連結軸３５から掛止突起１５Ｂ寄りの操作板３０において、掛止突起１５Ｂ以外の部分に垂直方向の押圧力が直接作用するのを規制するための部材であり、掛止突起１５Ｂを操作する際に誤って指先が作用したり、或いは、当該部分が帽子の内側に隠れているが為に、不用意に押し下げられることを確実に防止することができる。
【００２３】
従って、図２にバックル２０の変形例として示すように、張出部２８、２８は、水平方向への伸出長を長くした張出部２８、２８（図２（１））や、先端を曲線状とした張出部２８、２８（図２（２））とすることもできる。なお、図２において図１に示す実施形態と同じ部材には同じ符号を付して、その説明を省略する。
【００２４】
図１に示す実施形態では、操作板３０の一端部（係合爪３１の設けられた側）を、対向する両側板２３、２３の内壁に連結している。当該連結は、操作板３０の隅角部から延びる屈曲した連結部材３６、３６によりなされており、押圧部３２を押し下げた後、押圧部３２から指を離した時点で操作板３０が元の水平状態に復元し易くしたものである。従って、連結部材３６の形状としてはこの他にも、波板等、種々のものを適用することができる。換言すれば、連結部材３６は操作板３０の揺動動作に対するダンパーとしての機能を有するものである。
なお、操作板３０と側板２３との連結は、連結軸３５を挟んで押圧部３２の反対側であれば良く、前記一端部以外である操作板３０の側縁部でも良いし、側板２３に代えて天井枠１２に連結しても良い。
【００２５】
操作板３０の一端部（係合爪３１の設けられた側）に設けた突起３３は、係合解除時に操作板３０の掛止突起１５Ｂが必要以上に押し下げられるのを防止するためのストッパである。
また、符号３４も掛止突起１５Ｂの押し下げ時に張出部２８の側面に当接して（図１（３）参照）、掛止突起１５Ｂが必要以上に押し下げられ、操作板３０がバンド１０の上面に当たるのを防止するためのストッパである。これらのストッパ３３、３４はいずれか一方を備えれば十分であり、前記図２に示す実施形態では、ストッパ３４を設けていない。
【００２６】
バックル２０は、可撓性を有する合成樹脂により成型することができ、特に、操作板３０を連結軸３５の周囲に揺動させる必要から、ポリアセタール、ポリオキシメチレン、ポリアミド、ポリカーボネートなどの弾性を有する合成樹脂により成型することが好ましい。このバックル２０は、僅かな部品により構成され、かつ、簡易な構造の故に、金型で容易に一体成型することができる。
【００２７】
続いて、上記スライドアジャスタの作用を説明する。図１（２）は、バックル２０の挿通空間２６内にバンド１０が挿入され、バンド１０の外表面に形成された係合溝１２に、バックル２０の係合爪３１が係合した状態を示している。係合溝１２はスライド方向の断面形状が鋸歯状、即ち、バンド１０の進行方向に向けて漸次深くなるテーパ面と、この最深位置より略垂直に立上る壁面とからなっている。
【００２８】
バンド１０を押圧部３２側（図１（２）において左側）からバックル本体２４の挿通空間２６内に進入させていくと、バンド１０の上面が操作板３０の係合爪３１に接触して、操作板３０の一端部（係合爪３１が形成された側）を押し上げながら前進し、バックル２０に対するバンド１０の接近・離隔位置が調節される。この状態では、図１（２）に示すように、係合爪３１が所定の係合溝１２と噛み合って係止しているので、バンド１０はバックル２０に対して進出自在であるが、後退不能である。
【００２９】
他方、バックル２０からバンド１０を後退させたり、引き抜いたりするには、操作板２０の押圧部３２（掛止突起１５Ｂ）を軽く指で押し下げれば、図１（３）に示すように、連結軸３５を中心として操作板３０が回転する結果、反対側に位置する係合爪３１が持ち上がり、係合爪３１が係合溝１２から外れるので、バンド１０を自由にスライドさせることができる。押圧部３２から指を離せば、押圧部３２は合成樹脂の弾性により元の水平状態に復帰する。
【産業上の利用可能性】
【００３０】
本発明のバンドとバックルのスライドアジャスタは、帽子、ズボンまたはスカート、腕時計等の服飾品、各種ヘルメット、靴などに適用することができる。また、本発明のスライドアジャスタは、本来的に、結束具として用いることができる。
【図面の簡単な説明】
【００３１】
【図１】本発明のスライドアジャスタの平面図（図１（１））と、同図のｚ−ｚ切断線における縦断側面図（図１（２）、（３））である。
【図２】バックルの変形例を示す平面図である。
【図３】帽子等の服飾品に本発明のスライドアジャスタを適用したときの外観を、従来例と対比して示す正面図である。
【符号の説明】
【００３２】
１０    バンド
１２    係合溝
１５Ａ  バンドの掛止突起
１５Ｂ  バックルの掛止突起
２０    バックル
２１    底板
２２    天井枠
２３    側板
２４    バックル本体
２８    張出部
３０    操作板
３１    係合爪
３２    押圧部
３５    連結軸
３６    連結部材
【図１】
2008086639.tif 000003
【図２】
2008086639.tif 000004
【図３】
2008086639.tif 000005
【手続補正書】
【提出日】平成19年6月15日(2007.6.15)
【手続補正１】
【補正対象書類名】特許請求の範囲
【補正対象項目名】請求項４
【補正方法】変更
【補正の内容】
【請求項４】
前記操作板の一端部近傍と、前記天井枠の少なくとも一辺、または対向する前記両側板とを連結した請求項１〜請求項３のいずれかに記載のスライドアジャスタ。